(57)【特許請求の範囲】
【請求項１】
ミシンフレーム先端のヘッド部内に上下動可能に支持され、前記ヘッド部の外側に延びる下端に押え金を取り付けた押え棒に、前記ミシンフレームの外部に設けた操作レバーの揺動を伝え、該押え棒の上動により前記押え金を上昇させるミシンの押え揚げ装置において、
前記押え棒の一側に並べて上下動可能に支持され、上動により前記押え棒を押し上げる押え揚げ棒と、
前記ヘッド部の外側に延びる前記押え揚げ棒の上端部の近傍に配してあり、リンクを介して連結された前記操作レバーの揺動に応じて横軸回りに揺動して前記押え揚げ棒の上端を押し上げる押え揚げレバーと
を備えることを特徴とするミシンの押え揚げ装置。
【請求項２】
前記押え揚げ棒を支持する支持ブッシュの前記ヘッド部の上側への延長部外周に設けた雄ねじに螺合する調節ナットを備え、該調節ナットの螺進操作により前記押え揚げ棒を押し上げ、前記押え棒及び押え金の上下位置を微調整する調整手段を構成してある請求項１記載のミシンの押え揚げ装置。
【請求項３】
前記押え揚げ棒は、前記押え棒の軸回りの回動を規制するガイド棒を兼ねる請求項１記載のミシンの押え揚げ装置。
【発明の詳細な説明】
【技術分野】
【０００１】
本発明は、ミシンベッドの上に下降して生地を押える押え金を、外部からの操作により上昇させる押え揚げ装置に関する。
【背景技術】
【０００２】
例えば、ブリーフ、ショーツの股下部の合わせ縫いに用いられる送り出し腕形偏平縫いミシンは、ミシンフレームの上下部に相異なる方向に延びるミシンアーム及びミシンベッドを夫々備えている（例えば、特許文献１参照）。ミシンアームの先端部には、該ミシンアームと略直交する向きにヘッド部が連設してあり、該ヘッド部からミシンベッドの先端部に向けて垂下された針棒及び押え棒の下端に複数本の針及び押え金が夫々取り付けてある。
【０００３】
送り出し腕形偏平縫いミシンによる合わせ縫いは、２枚の生地の端縁を所定幅に亘って上下に重ね、押え棒の下端に取り付けた押え金とミシンベッドの先端部上面に架設された針板との間に挾持し、ミシンベッド内部の送り機構の動作によりミシンベッドの基端から先端に向かう送りを加え、針棒と共に上下動する複数本の針とミシンベッド内部のルーパとの協調動作により相互に縫い合わせる手順にて行なわれる。
【０００４】
以上の縫製中に生地を押える押え金は、ミシンベッドの上方のヘッド部から垂下された押え棒の下端に取り付けてある。押え棒は、上下方向への移動可能に前記ヘッド部内に支持され、押えばねのばね力により下方に付勢されており、該押え棒の下端に取り付けた押え金は、前記押えばねのばね力により針板上に下降して生地を押え、また外部からの操作が可能な押え揚げ装置により、押えばねのばね力に抗して押え棒を上動させることによって上昇するように構成してある。押え揚げ装置は、縫製を終えた生地をミシンベッド上から取り外す場合、縫製前の生地をミシンベッド上にセットする場合に、生地の着脱に支障を来さないように、針板上から押え金を離反させるために操作される。
【０００５】
特許文献１に開示された従来の送り出し腕形偏平縫いミシンにおいて、押え金を上昇させる押え揚げ装置は、ミシンフレームの外部に揺動可能に支持された揺動レバーと、該揺動レバーの揺動を押え棒に伝えるリンク機構とを備えている。押え揚げ装置の揺動レバーは、ミシンアームの先端部外面に配してあり、押え揚げ装置のリンク機構は、ミシンアームとの連設側となる背面の一部に開口する窓孔を経てヘッド部内に延長し、該ヘッド部内に支持された送り棒に押し上げ力を加えるように構成してある。
【特許文献１】特公平７−５７２７２号公報
【発明の開示】
【発明が解決しようとする課題】
【０００６】
さて、多くの工業用ミシンにおいては、縫製作業の能率向上を図るべく運転速度の高速化が切望されており、高速化を達成するためには、ミシンフレームの内部に設けた種々の機構を、潤滑用のグリス又は油により良好に潤滑する必要がある。
【０００７】
しかしながら、前述した押え揚げ装置を備える送り出し腕形偏平縫いミシンは、ヘッド部の背面に前記リンク機構を受け入れるための開口が設けてあり、この開口をリンク機構の動作を阻害せずに封止することが難しいことから、針を上下動させるための針棒駆動機構等、ヘッド部内に設けられる機構の潤滑を良好に実施することができず、運転速度の高速化を阻害する要因となっている。
【０００８】
本発明は斯かる事情に鑑みてなされたものであり、ヘッド部の内外の封止を損なうことなく押え棒を上動させて押え金を上昇させることを可能とし、ヘッド部内に設けられる機構の潤滑を良好に実現し、運転速度の高速化を阻害することのないミシンの押え揚げ装置を提供することを目的とする。
【課題を解決するための手段】
【０００９】
本発明の第１発明に係るミシンの押え揚げ装置は、ミシンフレーム先端のヘッド部内に上下動可能に支持され、前記ヘッド部の外側に延びる下端に押え金を取り付けた押え棒に、前記ミシンフレームの外部に設けた操作レバーの揺動を伝え、該押え棒の上動により前記押え金を上昇させるミシンの押え揚げ装置において、前記押え棒の一側に並べて上下動可能に支持され、上動により前記押え棒を押し上げる押え揚げ棒と、前記ヘッド部の外側に延びる前記押え揚げ棒の上端部の近傍に配してあり、リンクを介して連結された前記操作レバーの揺動に応じて横軸回りに揺動して前記押え揚げ棒の上端を押し上げる押え揚げレバーとを備えることを特徴とする。
【００１０】
本発明においては、押え棒の一側に並べて上下動可能な押え揚げ棒を配する一方、ヘッド部の上側への押え揚げ棒の突出部の近傍に押え揚げレバーを配し、この押え揚げレバーを操作レバーにリンクを介して連結する。操作レバーの揺動をリンクを介して押え揚げレバーに伝え、揺動する押え揚げレバーによりヘッド部の外側に突出する押え揚げ棒の上端を押し上げ、上動する押え揚げ棒を介して押え棒を押し上げて押え金を上昇させる。
【００１１】
本発明の第２発明に係るミシンの押え揚げ装置は、第１発明における押え揚げ棒を支持する支持ブッシュの前記ヘッド部の上側への延長部外周に設けた雄ねじに螺合する調節ナットを備え、該調節ナットの螺進操作により前記押え揚げ棒を押し上げ、前記押え棒及び押え金の上下位置を微調整する調整手段を構成してあることを特徴とする。
【００１２】
本発明においては、ヘッド部の上側への押え揚げ棒の突出部を利用して、調節ナットの螺進操作により押え金の上下位置を微調整する調整手段を構成する。
【００１３】
本発明の第３発明に係るミシンの押え揚げ装置は、第１発明における押え揚げ棒が、前記押え棒の軸回りの回動を規制するガイド棒を兼ねることを特徴とする。
【００１４】
この発明においては、縫製作業中に押え金に加わる外力の作用による押え棒の回動を防止すべく、ヘッド部内の押え棒の近傍に設けられるガイド棒を、上下動可能に支持し、ヘッド部の上側に延長して押え揚げ棒として兼用する。
【発明の効果】
【００１５】
本発明の第１発明に係るミシンの押え揚げ装置においては、ヘッド部の上壁を内外に貫通して支持された押え揚げ棒の外周を、Ｏリング、オイルシール等のシール部材によりシールすることによりヘッド部の内外を確実に封止することができ、ヘッド部内に封入した潤滑用のグリス又は油により、針棒駆動機構等のヘッド部内の機構を良好に潤滑し、運転速度の高速化要求に応えることが可能となる。
【００１６】
第２発明に係るミシンの押え揚げ装置においては、ヘッド部の上側への押え揚げ棒の突出部を利用して押え金の上下位置を微調整する調整手段が構成してあり、この調整手段の操作により、生地の厚さ、種類に応じた押え力の微細な調節を簡易に実施することが可能となる。
【００１７】
第３発明に係るミシンの押え揚げ装置においては、押え棒の回り止めのためにヘッド部内に設けられるガイド棒を押え揚げ棒として兼用したから、部品点数を削減し、簡素な構成にて目的を達成することができる等、本発明は優れた効果を奏する。
【発明を実施するための最良の形態】
【００１８】
以下本発明をその実施の形態を示す図面に基づいて詳述する。図１は、本発明に係るミシンの押え揚げ装置（以下本発明装置という）を備える送り出し腕形偏平縫いミシンの全体構成を示す斜視図である。
【００１９】
図示の如く送り出し腕形偏平縫いミシンは、ミシンフレーム１の上部に一方向に延びるミシンアーム10を備え、ミシンフレーム１の下部にミシンアーム10と異なる方向に延びる細幅筒型のミシンベッド11を備えている。ミシンアーム10の先端部には、該ミシンアーム10と略直交する向きに、中空の矩形ブロック状をなすヘッド部12が連設してある。
【００２０】
ヘッド部12の下方には、相対向するミシンベッド11の先端部に向けて押え棒13が垂下支持され、該押え棒13の下端部に押え金14が取り付けてある。押え棒13は、後述のように、上下動可能に支持されている。押え金14は、押え棒13の下動によりミシンベッド11の先端部に架設された針板15の上に下降し、該針板15との間に図示しない生地を挾持する。押え金14と針板15との間に挾持された生地は、ミシンベッド11の内部に設けた図示しない送り機構の動作により、ミシンベッド11の基部から先端側に向かう送りを加えられ、この送りに同期して上下動する複数本の針（図示せず）により合わせ縫いされる。
【００２１】
図２は、押え棒13の支持構造を示す断面図である。図示の如く押え棒13は、ヘッド部12の下壁 12aを上下方向に貫通する支持筒16に、円筒形の伝動筒２及び回動ブッシュ３を介して上下動可能に支持されている。支持筒16は、ヘッド部12と一体又は別体に構成することができる。
【００２２】
伝動筒２は、支持筒16に回動可能に内嵌支持されている。ヘッド部12の外側に突出する伝動筒２の下端部にはメスブラケット20が設けてあり、ヘッド部12の内側に突出する伝動筒２の上端部には揺動ブラケット21が固定されている。
【００２３】
回動ブッシュ３は、伝動筒２に回動可能に内嵌支持されている。伝動筒２の下端からヘッド部12の外側に突出する回動ブッシュ３下端部にはフックブラケット30が設けてある。伝動筒２の上端からヘッド部12の内側に突出する回動ブッシュ３の上端部には揺動ブラケット31が固定されている。
【００２４】
伝動筒２及び回動ブッシュ３は、夫々の上端に設けた揺動ブラケット21，31への伝動に応じて、軸回りに各別に反復回動する。伝動筒２の下端に設けたメスブラケット20は、押え金14に設けたメス機構22（図１参照）に連結してあり、また回動ブッシュ３の下端に設けたフックブラケット30は、押え金14の近傍の上部に飾り糸機構32（図１参照）に連結してある。
【００２５】
メス機構22は、伝動筒２の反復回動に応じて、押え金14により押えた生地の端縁を切り揃える動作をなす。また飾り糸機構32は、回動ブッシュ３の反復回動に応じて、縫製中の生地の上面に飾り糸を配置する動作をなす。メス機構22及び飾り糸機構32は、従来の送り出し腕形偏平縫いミシンにも備えられた公知の機構であり、構成及び動作の詳細な説明は省略する。
【００２６】
このように支持された回動ブッシュ３には、図２に示すように、押え棒13の下部が挿通されている。押え棒13の上部は、ヘッド部12の上壁 12bに上下方向に貫通するように固着した上ブッシュ４に挿通されている。このように押え棒13は、上ブッシュ４と回動ブッシュ３とにより上下に離隔した２箇所を両持ち支持されており、これらのブッシュ３，４による案内下にて上下動することができる。
【００２７】
ヘッド部12の外側に突出する上ブッシュ４の上部には、調節ねじ40が螺合されており、該調節ねじ40の下端部と押え棒13の上端部との間には、コイルばねを用いてなる押えばね41が介装されている。押えばね41は、押え棒13に下向きのばね力を加え、該押え棒13の下端部に取り付けた押え金14を下向きに付勢する。なお図４中には、押え金14の図示を省略してある。
【００２８】
押えばね41のばね力の大きさは、調節ねじ40の上端に設けた把持部42を回転操作し、調節ねじ40のねじ込み量を変えることにより調節することができる。この調節は、押え金14と針板15との間に前述の如く挾持される生地の押え力を変更すべく実施され、調節された押え力は、調節ねじ40の中途に設けたロックナット43を上ブッシュ４の上端に締め付けることにより維持される。
【００２９】
以上の如く支持された押え棒13の一側には、該押え棒13と平行をなすように押え揚げ棒５とガイド棒６とが配してある。押え揚げ棒５は、ヘッド部12の上壁 12bを貫通する支持ブッシュ50に内嵌され、上下方向の移動可能に支持されている。ガイド棒６は、押え棒13と押え揚げ棒５との間に位置してヘッド部12の上壁 12bに嵌着固定されている。
【００３０】
図３は、押え揚げ棒５及びガイド棒６の支持構造を示す分解斜視図である。押え揚げ棒５の支持ブッシュ50は、図３に示すように、上半部の外周にねじ部51を有しており、図２に示すように、前記ねじ部51の形成範囲がヘッド部12の上方に突出するように上壁 12bに固着してある。支持ブッシュ50のねじ部51には、調節ナット52及びロックナット53が螺合してある。調節ナット52は、回転操作によりねじ部51の形成範囲内にて螺進移動し、支持ブッシュ50に沿って上下方向に位置調節することができ、適宜の移動位置でロックナット53を締め付けることにより固定することができる。
【００３１】
図３に示すように押え揚げ棒５は、一端部に大径の押し環54を有する丸棒であり、同側端部を下とし、ヘッド部12の内側に位置するように支持ブッシュ50に挿嵌されている。押え揚げ棒５の上端は、支持ブッシュ50の上側からヘッド部12の外部に突出しており、この突出端には押え揚げカラー55が固定されている。図２に示すように押え揚げカラー55は、大径の作用環56を上部に有しており、押え揚げカラー55の下部は、支持ブッシュ50の外側に被せ、調節ナット52の上面に当接させてある。
【００３２】
図３に示すようにガイド棒６は、下半部の外周に所定幅に亘って平坦化されたガイド面60を有する丸棒であり、図２に示すように、前記ガイド面60の形成部位がヘッド部12の内側に位置するようにヘッド部12の上壁 12bに固定されている。
【００３３】
図３には、押え揚げ棒５及びガイド棒６に並設された押え棒13も示されている。図示の如く押え棒13の中途には、ヘッド部12の内側において押え棒ホルダ17が固定されている。押え棒ホルダ17は、押え棒13を抱持するボス部 17aの外側に径方向外向きに延びる係合アーム 17bを備えており、該係合アーム 17bの先端部には、広幅の係合溝 17cが形成され、係合アーム 17bの基端側には、係合溝 17cよりも狭幅の係合溝 17dが形成されている。
【００３４】
図４は、押え棒13と押え揚げ棒５及びガイド棒６との連結関係を示す斜視図である。本図に示す如く、押え棒13に固定された押え棒ホルダ17の係合アーム 17bは、押え揚げ棒５及びガイド棒６の並設側に延長されており、該係合アーム 17bの先端側に設けた広幅の係合溝 17cは押え揚げ棒５が係合され、該押え揚げ棒５の下端に設けた大径の押し環54が係合アーム 17bに下側から当接させてある。また、係合アーム 17bの基端側に設けた狭幅の係合溝 17dには、ガイド棒６に設けたガイド面60に係合されている。
【００３５】
以上の構成により、押え揚げ棒５が上動した場合、係合アーム 17bが押し環54により押し上げられ、この押し上げ力が係合アーム 17bを備える押え棒ホルダ17を介して押え棒13に伝わり、該押え棒13が、前述した押えばね41のばね力に抗して上動し、押え棒13の下端に取り付けた押え金14が上昇する。
【００３６】
押え揚げ棒５は、ヘッド部12の外側に突出する上端に固定した押え揚げカラー55に後述の如く上向きの力を加えることにより上動し、この上動により押え金14を上昇させることができる。押え揚げカラー55への作用力を解除した場合、押え金14は、押えばね41のばね力の作用により針板15上に下降し、前述の如く生地を押える作用をなす。
【００３７】
押え揚げカラー55の下端には、前述の如く調節ナット52が当接しており、該調節ナット52を螺進操作することによっても押え揚げカラー55を押し上げ、押え金14を上昇させることができる。このような調節ナット52の螺進操作は、押え金14の上下位置を微調整するために行われる。
【００３８】
係合溝 17dに係合するガイド棒６は、押え棒13の上下動に伴う針棒ホルダ17の上下動をガイド面60の作用により案内すると共に、押え棒13の軸回りの回動を係合アーム 17bを介して規制する作用をなす。これにより押え棒13の下端に取り付けた押え金14は、縫製中に加わる外力の作用により回動する虞れがなく、針板15上への生地の押えを安定して行わせることができる。
【００３９】
本発明装置は、押え揚げカラー55に上向きの力を加えて押え金14を上昇させるために、ヘッド部12の上部に設けた押え揚げレバー７を備えている。図５は、押え揚げレバー７の支持構造を示す斜視図である。本図及び図３に示すように、ヘッド部12の上壁 12bの外面には、押え揚げ棒５の突出位置近傍（後側）に位置してＬ字形の支持ブラケット70が固定されており、押え揚げレバー７は、押え揚げ棒５と略直交する支軸71による揺動を可能として前記支持ブラケット70に支持されている。
【００４０】
押え揚げレバー７の支軸71には、径方向外向きに延びる作用片72が一体に設けてある。押え揚げレバー７は、図５に示すように、前記作用片72の先端が押え揚げカラー55の上端に設けた作用環56の下面に対向させたとき、ヘッド部12の上壁 12bから略垂直に立ち上がるように位置決めして支軸71に取り付けてある。このように取り付けた押え揚げレバー７の上端には、連結リンク73の一端が連結してある。連結リンク73は、ヘッド部12の後方に延長されており、該連結リンク73の他端は、図１に示すように、ミシンアーム10の先端部外面に支持された操作レバー８に連結してある。
【００４１】
操作レバー８は、押え揚げレバー７と略平行な軸回りに揺動可能に支持され、作業者による適宜の操作に応じて所定角度揺動するように構成されたレバーである。この操作レバー８は、公知のように、作業者による膝押し板、足踏みペダル等の操作端の操作を、リンク、ワイヤ等の機械的な伝動手段により伝えて揺動させることができ、また作業者によるスイッチ操作に応じたアクチュエータの動作によって揺動させることもできる。
【００４２】
押え金14を上昇させる場合、作業者は、操作レバー８を揺動操作する。操作レバー８の揺動は、連結リンク73を介して押え揚げレバー７に伝えられ、該押え揚げレバー７は、図５中に矢符により示すように、支軸71を枢軸として時計回りに揺動し、該支軸71に取り付けた作用片73が、先端を上動させるように揺動する。作用片73の先端は、押え揚げカラー55の上端に設けた作用環56の下面に対向しており、作用片73の揺動により、押え揚げカラー55に上向きの力が加わり、前述したように、押え揚げ棒５が上動し、押え棒13が上動して、該押え棒13の下端に取り付けた押え金14が上昇する。
【００４３】
このように本発明装置においては、押え棒13の一側に上下動可能に押え揚げ棒５を支持し、ヘッド部12の外側に突出する押え揚げ棒５の上端を、操作レバー８の操作に応じて揺動する押え揚げレバー７により押し上げて押え金14を上昇させるように構成してある。押え揚げ棒５は、ヘッド部12の上壁 12bを内外に貫通する支持ブッシュ50に内嵌支持されており、押え揚げ棒５と支持ブッシュ50との嵌合部をシールすることによりヘッド部12の内外を確実に封止することができる。従って、ヘッド部12の内部に設けられる針棒駆動機構等、高速度で動作する機構を、ヘッド部12内に封入した潤滑用のグリス又は油により良好に潤滑することができ、運転速度の高速化を達成することが可能となる。なお針棒駆動機構は、従来周知の機構であり、図示及び説明を省略してある。
【００４４】
押え揚げ棒５と支持ブッシュ50とは密に嵌合しており、嵌合部の封止は、実施の形態に示すようにシール部材を用いずに実現することができるが、Ｏリング、オイルシール等の環状のシール部材を介装することにより一層確実な封止状態を得ることができる。押え揚げ棒５と支持ブッシュ50との嵌合部は、単純な円形断面を有しており、シール部材の介装は、簡易に実施することができる。
【００４５】
実施の形態においては、ヘッド部12の上部に突出する支持ブッシュ50の上端にねじ部51を設け、該ねじ部51に螺合する調節ナット52の螺進操作により押え金14の上下位置を微調整できるようにし、押え揚げ棒５が押え金14の位置調整棒を兼ねる構成としてあるが、押え棒13の一側に並設された適宜の棒を押え揚げ棒５とすることができる。例えば、押え棒13を、軸回りの回転を規制しながら案内するガイド棒６を上下動可能に支持し、該ガイド棒６を押え揚げ棒５として兼用してもよい。また、位置調整棒及びガイド棒と別に、押え揚げ専用の押え揚げ棒を設けることもできる。
【００４６】
なお以上の実施の形態においては、送り出し腕形偏平縫いミシンへの本発明装置の適用例について説明したが、本発明は、他の形式のミシンにも広く適用可能であることは言うまでもない。
【図面の簡単な説明】
【００４７】
【図１】本発明装置を備える送り出し腕形偏平縫いミシンの全体構成を示す斜視図である。
【図２】押え棒の支持構造を示す断面図である。
【図３】押え揚げ棒及びガイド棒の支持構造を示す分解斜視図である。
【図４】押え棒と押え揚げ棒及びガイド棒との連結関係を示す斜視図である。
【図５】押え揚げレバーの支持構造を示す斜視図である。
【符号の説明】
【００４８】
１  ミシンフレーム
５  押え揚げ棒
６  ガイド棒
７  押え揚げレバー
８  操作レバー
12  ヘッド部
13  押え棒
14  押え金
50  支持ブッシュ
52  調節ナット
55  押え揚げカラー
73  連結リンク
【図１】
0004478991.tif 000002
【図２】
0004478991.tif 000003
【図３】
0004478991.tif 000004
【図４】
0004478991.tif 000005
【図５】
0004478991.tif 000006